(57)【要約】      （修正有）【課題】同時に多種類の外部コネクタと接続可能で、使用と携帯に便利な複合コネクタを提供する。【解決手段】複合コネクタは、第１連接本体、第２連接本体及び金属ケースを包含する。該第１連接本体と第２連接本体は固定接続され、該金属ケースが該第１連接本体と第２連接本体の外周を被覆し、且つ該金属ケースの両端に開口が形成されている。該第１連接本体は第１絶縁載置部と複数の第１接続端子を包含し、第１絶縁載置部は該金属ケース内に固定され、該第１接続端子は第１絶縁載置部に固定され且つ一部が該金属ケースの一端の開口より露出し、第２連接本体は第２絶縁載置部と複数の第２接続端子を包含し、第２絶縁載置部は第１絶縁載置部に固定され、且つ金属ケース内に固定され、該第２接続端子は該第２絶縁載置部に固定され且つ一部が金属ケースの一端の開口より露出する。【選択図】図３
0003171249.tif 000002
【実用新案登録請求の範囲】
【請求項１】
複合コネクタにおいて、第１連接本体、第２連接本体及び金属ケースを包含し、該第１連接本体と第２連接本体は固定接続され、該金属ケースが該第１連接本体と該第２連接本体の外周を被覆し、且つ該金属ケースの両端に開口が形成され、該第１連接本体は第１絶縁載置部と複数の第１接続端子を包含し、該第１絶縁載置部は該金属ケース内に固定され、該第１接続端子は第１絶縁載置部に固定され且つ一部が該金属ケースの一端の開口より露出し、該第２連接本体は第２絶縁載置部と複数の第２接続端子を包含し、該第２絶縁載置部は該第１絶縁載置部に固定され、且つ該金属ケース内に固定され、該第２接続端子は該第２絶縁載置部に固定され且つ一部が該金属ケースの一端の開口より露出して外部コネクタとの接続に供されることを特徴とする、複合コネクタ。
【請求項２】
請求項１記載の複合コネクタにおいて、該第１絶縁載置部は該第２絶縁載置部と一体式構造とされることを特徴とする、複合コネクタ。
【請求項３】
請求項２記載の複合コネクタにおいて、該金属ケースは第１収容室と第２収容室を具え、該第１収容室と該第２収容室は連通し、且つそれぞれ該金属ケースの左右両側に位置することを特徴とする、複合コネクタ。
【請求項４】
請求項３記載の複合コネクタにおいて、該第１連接本体がＨＤＭＩコネクタとされ、該第２連接本体がＵＳＢコネクタとされ、該第１収容室にＨＤＭＩコネクタが収容並びに固定され、該第２収容室に該ＵＳＢコネクタが収容並びに固定されたことを特徴とする、複合コネクタ。
【請求項５】
請求項３記載の複合コネクタにおいて、該第２収容室の底面より突伸するように補助端子が形成され、全体の複合コネクタが回路板上に半田付けされる時、該補助端子が該回路板に当接することを特徴とする、複合コネクタ。
【考案の詳細な説明】
【技術分野】
【０００１】
本考案は一種の電子機器のコネクタに係り、特に一種の複合コネクタに関する。
【背景技術】
【０００２】
電子製品の不断の発展に伴い、各種の電子製品の間及び周辺装置の間の連接が益々頻繁となっており、電子製品とその周辺装置の間が、各種コネクタ（たとえばＵＳＢコネクタ、ＨＤＭＩコネクタ）を介して連接されるのは、非常によく見受けられる連接方式である。このため、各種のコネクタの使用頻度も増加している。電子領域にあって、このように広く応用されるため、メーカーの各コネクタに対する生産も、元来の小規模生産から次第に大規模なバッチ生産ヘと次第に変化している。コネクタの種類が多くなるにつれ、人々の使用にも便利となっている。
【０００３】
ただし、常用される各種のコネクタは単一のものが一つの電子製品の接続に供されてデータメッセージを伝送し、同時に多種の異なるタイプの電子製品に対してデータ伝送を行う必要がある場合は、同時に多種類の異なるタイプのコネクタを携行しなければならず、携帯に不便であるのみならず、使用も簡単便利ではない。
【考案の概要】
【考案が解決しようとする課題】
【０００４】
本考案の目的は、上述の従来の技術の不足に対して、一種の、回路板上に半田付けされる複合コネクタを提供することにある。該複合コネクタは、同時に多種類の外部コネクタと接続可能で、携行に便利で、且つコネクタ使用の自由度をアップする。
【課題を解決するための手段】
【０００５】
上述の目的を達成するため、本考案は一種の複合コネクタを提供し、該複合コネクタは、第１連接本体、第２連接本体及び金属ケースを包含する。該第１連接本体と第２連接本体は固定接続され、該金属ケースが該第１連接本体と第２連接本体の外周を被覆し、且つ該金属ケースの両端に開口が形成されている。該第１連接本体は第１絶縁載置部と複数の第１接続端子を包含し、第１絶縁載置部は該金属ケース内に固定され、該第１接続端子は第１絶縁載置部に固定され且つ一部が該金属ケースの一端の開口より露出し、第２連接本体は第２絶縁載置部と複数の第２接続端子を包含し、第２絶縁載置部は第１絶縁載置部に固定され、且つ金属ケース内に固定され、該第２接続端子は該第２絶縁載置部に固定され且つ一部が金属ケースの一端の開口より露出して外部コネクタと接続される。
【考案の効果】
【０００６】
上述したように、本考案の複合コネクタは第１連接本体、第２連接本体、及び金属ケースを包含し、該第１連接本体と該第２連接本体が異なるタイプの外部コネクタと接続可能で、これにより、本考案の複合コネクタは、同時に多種類の外部コネクタと接続可能で、使用と携帯に便利で、コネクタの使用の自由度をアップしている。
【図面の簡単な説明】
【０００７】
【図１】本考案の複合コネクタの立体図である。
【図２】本考案の複合コネクタの立体分解図である。
【図３】本考案の複合コネクタの別角度から見た立体分解図である。
【考案を実施するための形態】
【０００８】
本考案の技術内容、構造特徴、達成する目的を詳細に説明するため、以下に実施例を挙げ並びに図面を組み合わせて説明する。
【０００９】
図１を参照されたい。図１は本考案の複合コネクタの立体図である。図示されるように、該複合コネクタは、第１連接本体１００、第２連接本体２００及び金属ケース３００を包含する。該第１連接本体１００と該第２連接本体２００はそれぞれ異なるタイプの外部コネクタと接続使用可能であり、且つ該第１連接本体１００と該第２連接本体２００は固定接続されて、一体式構造を呈する。
【００１０】
金属ケース３００は第１連接本体１００と第２連接本体２００の外周を被覆し、且つ金属ケース３００の両端に開口３１０が形成され、外部コネクタは該開口３１０を通して第１連接本体１００或いは第２連接本体２００と接続可能である。
【００１１】
具体的には、さらに図２、図３も合わせて参照されたい。第１連接本体１００は第１絶縁載置部１１０と複数の第１接続端子１２０を包含する。該第１絶縁載置部１１０は金属ケース３００内に取付けられ、これにより全体の第１連接本体１００が金属ケース３００内に固定される。
【００１２】
第１接続端子１２０は第１絶縁載置部１１０上に固定され、且つ第１接続端子１２０の一端は金属ケース３００の一端の開口３１０より露出し、これにより第１連接本体１００が外部コネクタと接続可能である。第１接続端子１２０の別端は回路板上に半田付けされ、これにより、第１連接本体１００と回路板が電気的に接続される。
【００１３】
第２連接本体２００は第２絶縁載置部２１０と複数の第２接続端子２２０を包含する。該第２絶縁載置部２１０は、金属ケース３００内に固定され、これにより全体の第２連接本体２００が金属ケース３００内に固定され、且つ第２絶縁載置部２１０は第１絶縁載置部１１０と固定接続され、並びに一体式構造を呈し、これにより、第１連接本体１００と第２連接本体２００が一体式構造を呈する。
【００１４】
第２接続端子２２０は第２絶縁載置部２１０に固定され、且つ第２接続端子２２０の一端は金属ケース３００の一端の開口３１０より露出し、これにより第２連接本体２００が外部コネクタと接続可能とされ、第２接続端子２２０の別端は回路板に半田付けされ、これにより第２連接本体２００と回路板が電気的に接続される。
【００１５】
本考案の実施例中、第１絶縁載置部１１０と第２絶縁載置部２１０はいずれも絶縁材料で製造され、これにより、第１連接本体１００と第２連接本体２００が一体式構造とされても、第１連接本体１００と第２連接本体２００の間の電気性能は相互に影響せず、これにより第１連接本体１００と第２連接本体２００はそれぞれ独立して外部コネクタと接続され使用され得る。
【００１６】
本考案の優れた実施方式中、第１連接本体１００はＨＤＭＩコネクタとされ、第２連接本体２００はＵＳＢコネクタとされるが、この組合せに限定されるわけではなく、たとえば、第１連接本体１００がＵＳＢ２．０コネクタとされ、第２連接本体２００がＵＳＢ３．０コネクタとされてもよい。実際の応用においては、具体的な使用の必要に応じて組合せられる。
【００１７】
金属ケース３００は第１収容室３２０と第２収容室３３０を有し、第１収容室３２０と第２収容室３３０は相互に連通し、且ついずれも開口３１０と連通する。第１収容室３２０と第２収容室３３０はそれぞれ金属ケース３００の左右両側に位置する。
【００１８】
そのうち、第１収容室３２０は第１連接本体１００すなわちＨＤＭＩコネクタを収容固定し、これに対し、第２収容室３３０は第２連接本体２００すなわちＵＳＢコネクタを収容できる。このような方式により、第１連接本体１００と第２連接本体２００の固定の位置を規定でき、これにより各コネクタを正確に外部コネクタと接続でき、これにより使用過程中の接続エラーの状況の発生を防止する。
【００１９】
金属ケース３００の下端面より複数のソルダ端子３０１が延伸形成され、各ソルダ端子３０１が回路板に半田付けされ、これにより全体の複合コネクタが回路板上に固定される。
【００２０】
また、本考案の実施例中、第１絶縁載置部１１０の厚さは第２絶縁載置部２１０の厚さより大きくなければならず、強固に第１連接本体１００と第２連接本体２００を固定するため、設計時には、第１収容室３２０の高さを第２収容室３３０の高さより高くする必要があるが、これにより、第１収容室３２０と第２収容室３３０が回路板に対して同一水平面上に位置しなくなり、このため該複合コネクタを回路板上に半田付けした後に金属ケース３００に変形が発生しやすくなる。
【００２１】
この問題に対して、第２収容室３３０の下端面よりさらに補助端子３０２を突出させて形成する。該補助端子３０２の下表面は第１収容室３２０の下端面と同一水平面上に位置し、これにより、全体の複合コネクタを回路板上に半田付けする時、補助端子３０２が回路板の表面に接触して第２収容室３３０を回路板表面上で支持し、また、使用時間の過長により第２収容室３３０に変形が発生するのを防止できる。
【００２２】
上述したように、本考案の複合コネクタは、第１連接本体１００、第２連接本体２００及び金属ケース３００を包含し、第１連接本体１００と第２連接本体２００がそれぞれ異なるタイプの外部コネクタに接続可能で、これにより本考案の複合コネクタは同時に多種類の異なるタイプの外部コネクタに接続して使用され得て、使用と携帯に非常に便利で、全体の複合コネクタの使用の自由度がさらにアップされている。
【符号の説明】
【００２３】
１００  第１連接本体                  １１０  第１絶縁載置部
１２０  第１接続端子                  ２００  第２連接本体
２１０  第２絶縁載置部                ２２０  第２接続端子
３００  金属ケース                    ３０１  ソルダ端子
３０２  補助端子                      ３１０  開口
３２０  第１収容室                    ３３０  第２収容室
【図１】
0003171249.tif 000003
【図２】
0003171249.tif 000004
【図３】
0003171249.tif 000005